(57)【要約】      （修正有）【課題】抗菌と殺菌と除菌の働きを、特に抗菌または殺菌の働きと、除菌の働きを複合して両方備え、流体の流れる方向がフィルターエレメントの外側から内側に流れるようになっていて、菌類はフィルターエレメントの外側で捕捉され外側に付着するようになっている細菌対応フィルターを提供する。【解決手段】フィルターエレメント５１、６１、７１を内臓したフィルター５０Ａ、５０Ｂ、５０Ｃ、５０Ｄであり、流体流路ｚをフィルター５０を構成しているボディ５２とフィルターエレメント５１、６１、７１の内側から外側に流れるように形成し、フィルターエレメント５１、６１、７１にまたはその内側に、少なくとも抗菌手段、または殺菌手段、または除菌手段の何れかを設けた。【選択図】図１
2007237154.tif 000002
【特許請求の範囲】
【請求項１】
フィルターエレメント（５１、６１、７１）を内臓したフィルター（５０Ａ、５０Ｂ、５０Ｃ、５０Ｄ）であり、流体流路（ｚ）を前記フィルター（５０Ａ、５０Ｂ、５０Ｃ、５０Ｄ）を構成しているボディ（５２）と前記フィルターエレメント（５１、６１、７１）の内側から外側に流れるように形成し、前記フィルターエレメント（５１、６１、７１）にまたはその内側に、少なくとも抗菌手段（５１ａ、５６ａ、５７ａ、６１ａ、７１ｂ）または殺菌手段（５１ａ、５６ａ、５７ａ、６１ａ、７１ｂ）または除菌手段（５１ａ、５６ａ、６１ａ）の何れかを設けたことを特徴とする細菌対応フィルター。
【請求項２】
フィルターエレメント（５１、６１、７１）を内臓したフィルター（５０Ａ、５０Ｂ、５０Ｃ、５０Ｄ）であり、流体流路（ｚ）を前記フィルター（５０Ａ、５０Ｂ、５０Ｃ、５０Ｄ）を構成しているボディ（５２）と前記フィルターエレメント（５１、６１、７１）の内側から外側に流れるように形成し、前記フィルターエレメント（５１、６１、７１）にまたはその内側に、抗菌手段（５１ａ、５６ａ、５７ａ、６１ａ、７１ｂ）または殺菌手段（５１ａ、５６ａ、５７ａ、６１ａ、７１ｂ）または除菌手段（５１ａ、５６ａ、６１ａ）の中から何れか二種類の手段を、個々にまたは複合させて設けたことを特徴とする細菌対応フィルター。
【請求項３】
フィルターエレメント（５１、６１、７１）を内臓したフィルター（５０Ａ、５０Ｂ、５０Ｃ、５０Ｄ）であり、流体流路（ｚ）を前記フィルター（５０Ａ、５０Ｂ、５０Ｃ、５０Ｄ）を構成しているボディ（５２）と前記フィルターエレメント（５１、６１、７１）の内側から外側に流れるように形成し、前記フィルターエレメント（５１、６１、７１）にまたはその内側に、抗菌手段（５１ａ、５６ａ、５７ａ、６１ａ、７１ｂ）または殺菌手段（５１ａ、５６ａ、５７ａ、６１ａ、７１ｂ）または除菌手段（５１ａ、５６ａ、６１ａ）の中から何れか三種類の手段を、個々にまたは複合させて設けたことを特徴とする細菌対応フィルター。
【請求項４】
前記抗菌手段（５１ａ、５６ａ、５７ａ、６１ａ、７１ｂ）または前記殺菌手段（５１ａ、５６ａ、５７ａ、６１ａ、７１ｂ）または前記除菌手段（５１ａ、５６ａ、６１ａ）は、粉末や粒子状の抗菌剤や殺菌剤を、フィルターの基本となる材料と混合して成形したり紙や繊維に塗布したりフィルターエレメント本体（７１ａ）に塗布したり袋本体（５７ｂ）に収納したり、除菌材によって形成したもであることを特徴とする請求項１ないし請求項３のいずれか１項に記載の細菌対応フィルター。
【請求項５】
前記抗菌剤は、一価の銀イオンを含有したゼオライト及びガラス粉末や抗生物質やサルファ剤であり、前記殺菌剤は、一価の銀イオンを含有したゼオライト及びガラス粉末であり、前記除菌材は、再生セルロースやニトロセルロースであることを特徴とする請求項４に記載の細菌対応フィルター。
【発明の詳細な説明】
【技術分野】
【０００１】  本発明は、細菌対応フィルターに関する技術であって、更に詳細に述べるならば、圧縮空気を中心とする流体の流れる流体流路の方向に配慮しながら、抗菌手段または殺菌手段または除菌手段の何れかを単独でまたは複合して設けた細菌対応フィルターに関する技術について述べたものである。
【背景技術】
【０００２】  従来の、細菌に対応した技術としては、抗菌手段または殺菌手段または除菌手段に関するものは色々見ることが出来る（例えば、特許文献１、特許文献２、特許文献３参照）。  また、フィルターエレメントを構成したフィルターでの流体の流体流路の方向に関しても一つの考え方が示されている（例えば、特許文献３参照）。【０００３】  この場合、特許文献１には、フィルターに使用している例では無いが、銀イオンや銅イオン等は、極微量でも、菌類などの生育を防止する、抗菌手段に関する内容が記載されている。
【特許文献１】  特開平４−２８４８９１
【０００４】  また、特許文献２には、フィルターに使用している例では無いが、一価の銀イオンが殺菌性に優れているという、殺菌手段に関する内容が記載されている。
【特許文献２】  特開昭６２−２１００９８
【０００５】  更に、特許文献３には、除菌器１６を構成しているメンブランフィルタ２６に見られるように、除菌手段に関する内容が記載されている。
【特許文献３】  実開平６−７４１４５
【０００６】  尚、特許文献３に於いては、図１や図２に記載されている内容を見ると、除菌器１６では、フィルターエレメントに該当するメンブランフィルタ２６の外側から内側に流体流路の方向が形成されていることを見ることが出来る。
【発明の開示】
【発明が解決しようとする課題】
【０００７】  しかしながら、このような従来の、細菌に対応した技術に関しては、以下に示すような課題があった。【０００８】  先ず、実開平６−７４１４５に見られるように、除菌フィルターに類する技術は存在していたが、抗菌フィルターや殺菌フィルターに類する技術は、特にフィルターに関しては存在していなかった。【０００９】  従って、一つのフィルターだけで抗菌と殺菌と除菌の働きを、特に抗菌または殺菌の働きと、除菌の働きを複合して両方備えているような技術は見られなかった。【００１０】  また、実開平６−７４１４５の除菌器に見られるように、流体の流れる流体流路の方向がフィルターエレメントに該当するメンブランフィルタの外側から内側に流れるようになっていて、菌類はメンブランフィルタの外側で捕捉され外側に付着するようになっているために、機能が劣化した際にメンブランフィルタの交換をするのに際して菌類が手に付着する等不衛生であった。【００１１】  更に、従来からのフィルターの構造から考えた場合、殺菌剤の位置の問題と、その位置が理想的な場合でも殺菌剤が長時間占有していた場合には機能が低下するという問題が有り、除菌に関しても孔径の点で問題が有り、従って完全に殺菌や除菌するということが困難であり、また別の観点から考えた場合、細菌の増殖を阻止するような必要性を感じることも有った。
【課題を解決するための手段】
【００１２】  本発明は、フィルターエレメント５１、６１、７１を内臓したフィルター５０Ａ、５０Ｂ、５０Ｃ、５０Ｄであり、流体流路ｚを前記フィルター５０Ａ、５０Ｂ、５０Ｃ、５０Ｄを構成しているボディ５２と前記フィルターエレメント５１、６１、７１の内側から外側に流れるように形成し、前記フィルターエレメント５１、６１、７１にまたはその内側に、少なくとも抗菌手段５１ａ、５６ａ、５７ａ、６１ａ、７１ｂまたは殺菌手段５１ａ、５６ａ、５７ａ、６１ａ、７１ｂまたは除菌手段５１ａ、５６ａ、６１ａの何れかを設けたことを特徴とし、更には、フィルターエレメント５１、６１、７１を内臓したフィルター５０Ａ、５０Ｂ、５０Ｃ、５０Ｄであり、流体流路ｚを前記フィルター５０Ａ、５０Ｂ、５０Ｃ、５０Ｄを構成しているボディ５２と前記フィルターエレメント５１、６１、７１の内側から外側に流れるように形成し、前記フィルターエレメント５１、６１、７１にまたはその内側に、抗菌手段５１ａ、５６ａ、５７ａ、６１ａ、７１ｂまたは殺菌手段５１ａ、５６ａ、５７ａ、６１ａ、７１ｂまたは除菌手段５１ａ、５６ａ、６１ａの中から何れか二種類の手段を、個々にまたは複合させて設けたことを特徴とし、更には、フィルターエレメント５１、６１、７１を内臓したフィルター５０Ａ、５０Ｂ、５０Ｃ、５０Ｄであり、流体流路ｚを前記フィルター５０Ａ、５０Ｂ、５０Ｃ、５０Ｄを構成しているボディ５２と前記フィルターエレメント５１、６１、７１の内側から外側に流れるように形成し、前記フィルターエレメント５１、６１、７１にまたはその内側に、抗菌手段５１ａ、５６ａ、５７ａ、６１ａ、７１ｂまたは殺菌手段５１ａ、５６ａ、５７ａ、６１ａ、７１ｂまたは除菌手段５１ａ、５６ａ、６１ａの中から何れか三種類の手段を、個々にまたは複合させて設けたことを特徴とし、更には、前記抗菌手段５１ａ、５６ａ、５７ａ、６１ａ、７１ｂまたは前記殺菌手段５１ａ、５６ａ、５７ａ、６１ａ、７１ｂまたは前記除菌手段５１ａ、５６ａ、６１ａは、粉末や粒子状の抗菌剤や殺菌剤を、フィルターの基本となる材料と混合して成形したり紙や繊維に塗布したりフィルターエレメント本体７１ａに塗布したり袋本体５７ｂに収納したり、除菌材によって形成したもであることを特徴とし、更には、前記抗菌剤は、一価の銀イオンを含有したゼオライト及びガラス粉末や抗生物質やサルファ剤であり、前記殺菌剤は、一価の銀イオンを含有したゼオライト及びガラス粉末であり、前記除菌材は、再生セルロースやニトロセルロースであることを特徴とすることによって、上記課題を解決したのである。
【発明の効果】
【００１３】  以上の説明から明らかなように、本発明によって、以下に示すような効果をあげることが出来る。【００１４】  第一に、圧縮空気を中心とする流体がフィルター内を流れる流体流路を、フィルターを構成しているボディとフィルターエレメントの内側から外側に流れるように形成することで、各種の菌類を含む異物をフィルターエレメント内に確実に収めることが可能となり、フィルターエレメントの交換に際しても菌類が手に付着する等の不衛生な状況を回避出来るようになった。【００１５】  第二に、フィルターエレメントにまたはその内側に、少なくとも抗菌手段または殺菌手段または除菌手段の何れかを設けたことで、細菌に対する対応が、特に抗菌手段に於いては長期的な意味での対応が可能となった。【００１６】  第三に、フィルターエレメントにまたはその内側に、抗菌手段または殺菌手段または除菌手段の中から何れか二種類の手段を、個々にまたは複合させて設けたことで、色々な種類の細菌に対して対応が可能となった。【００１７】  第四に、フィルターエレメントにまたはその内側に、抗菌手段または殺菌手段または除菌手段の中から何れか三種類の手段を、個々にまたは複合させて設けたことで、色々な種類の細菌に対して更に完全な対応が可能となった。【００１８】  第五に、抗菌手段または殺菌手段または除菌手段は、粉末や粒子状の抗菌剤や殺菌剤を、フィルターの基本となる材料と混合して成形したり紙や繊維に塗布したりフィルターエレメント本体に塗布したり袋本体に収納したり、除菌材によって形成することで、具体的に色々な種類の細菌に対する対応が可能となった。
【発明を実施するための最良の形態】
【００１９】  以下、本発明の実施の形態を図面と共に詳細に説明する。
ここで、図１は、本願発明の細菌対応フィルターを示した第一の図であり、図２は、本願発明の細菌対応フィルターを示した第二の図であり、図３は、本願発明の細菌対応フィルターを示した第三の図であり、図４は、本願発明の細菌対応フィルターを示した第四の図である。【００２０】  先ず、空気圧縮機によって作り出された圧縮空気は、フィルターで細菌類を除去する時に露化することで発生したドレン水がフィルターに付着することで、これ等の細菌類が増殖する。  従って、フィルターで圧縮空気中の細菌類を除去することが出来ても一時的なものであり、その後フィルターに細菌類が繁殖するという不具合があった。  更に不都合なことに、フィルターには圧縮空気中の塵が付着し、細菌の増殖の温床になると共に、フィルターを目詰まりさせ、フィルターの機能を低下させていた。【００２１】  そこで、除菌フィルターの手前に除塵フィルターを配設し、除塵フィルターで除塵していた。  しかしこの様な方法では、水分を含む圧縮空気が通過すると、圧縮空気中の塵を除塵フィルターで除去しても、除塵フィルターのフィルターケース中に圧縮空気中の水が露化して溜まる。  そして、除菌フィルターの方へも水分を多く含んだ圧縮空気が流れていたのである。【００２２】［第一実施例］
図１に於いて、５０Ａはフィルターであり、機能の面で中心的な働きをしているフィルターエレメント５１と、外側を成しているボディ５２およびケース５３と、パッキン５５と排水管５８と開閉弁５９から構成されている。【００２３】  この場合、フィルターエレメント５１に関しその構成を記載すると、除菌手段５１ａでもある除菌フィルターエレメント本体５１ａと上部鍔５１ｂと下部鍔５１ｃによって一体に形成されていて、更にＯリング５４を構成している。  そして、上部鍔５１ｂは、ドーナツのような中空の形状をしていてその内側の中空部を通って圧縮空気を中心とする流体が通過出来るようになっている。  また、Ｏリング５４は、上部鍔５１ｂの略中央部の内側に位置していて、下部鍔５１は、円盤状の形状をしている。【００２４】  従って、フィルターエレメント５１の下部は、圧縮空気を中心とする流体が除菌フィルターエレメント本体５１ａを経由すること無しに漏洩することがないような閉じた状態になっている。  この様に、フィルターエレメント５１を構成することによって、フィルターエレメント５１で捕捉された異物ｘはフィルターエレメント５１の内部に滞留するようになっている。【００２５】  尚、除菌手段５１ａでもある除菌フィルターエレメント本体５１ａとしては、一般的なメンブランフィルターを使用しているが、その場合通常孔径が０．１μｍないし５μｍ程度のものである。  しかし、細菌類、カビ、酵母などの真菌類の除菌を可能にする為には、孔径が０．１μｍないし０．４μｍ程度のものを用いるのが良い。  但し、細菌類のウイルスは、大きさが０．０２２μｍないし０．３μｍである為に、一部捕捉出来ないものもある。  この除菌フィルターエレメント本体５１ａの除菌材は、再生セルロース製やニトロセルロース等が考えられる。【００２６】  そして、このフィルターエレメント５１は、フィルター５０Ａを構成しているボディ５２とケース５３の間に配設されていて、ボディ５２の雌ネジ５２ｋとケース５３の雄ネジ５３ｙを螺合によって結合することで、ボディ５２の段部５２ｉとケース５３の三ないし六箇所の座５３ｚの間に位置するようになっている。  この場合、ボディ５２とケース５３の間にはパッキン５５を配設して、圧縮空気を中心とする流体がフィルター５０Ａの外部に漏洩するのを防止しているが、位置としては、ケース５３の上端部側に配設しても構わない。  尚、ボディ５２とケース５３の間のパッキン５５は、０リングや他のものでも構わない。【００２７】  ここで、フィルターエレメント５１を構成している上部鍔５１ｂの内側に配設したＯリング５４の目的は、ボディ５２の上部鍔接触面５２ｊに接触させることによって、フィルターエレメント５１の上部を形成している上部鍔５１ｂとボディ５２の間から除菌フィルターエレメント本体５１ａを経由すること無しにフィルターエレメント５１内部から外部に圧縮空気を中心とする流体が漏洩するのを防止しているのである。  尚、Ｏリング５４に代えて上部鍔５１ｂとボディ５２の段部５２ｉとの間にパッキンを設けることも考えられる。【００２８】  一方、フィルターエレメント５１を構成している下部鍔５１ｃに関しては、ケース５３の比較的下部の内側に形成された三ないし六箇所の座５３ｚに載置された状態となっている。  尚、座５３ｚに関しては、具体的に図示してはいないが、フィルターエレメント５１をボディ５２に対して螺合によって固定する方法であるとか、フィルターエレメント５１をボディ５２に対して通しボルトによって固定する方法等の、何等かの方策を講じれば、必ずしも設ける必要は無い。【００２９】  更に、ボディ５２には、流体流路ｚの一部である入口５２ｘと出口５２ｙを形成している。  ここで一番大切な事は、圧縮空気を中心とする流体が、入口５２ｘを通った後に、流路５２ｚを経由して、フィルターエレメント５１を構成しているドーナツのような中空の形状をした上部鍔５１ｂの中空部を通ってフィルターエレメント５１の内側に流入し、その後フィルターエレメント５１の内側に異物ｘを残す一方、圧縮空気を中心とする流体はフィルターエレメント５１を内側から外側に横切る過程で、即ち除菌手段５１ａである除菌フィルターエレメント本体５１ａを通過する過程で除菌され、最後にはボディ５２にもどって出口５２ｙから除菌された状態で流出するように、流体流路ｚを形成しているのである。【００３０】  また、フィルターエレメント５１を構成している下部鍔５１ｃは、フィルター５０Ａを構成しているケース５３の内側に形成された座５３ｚに載置されることによって、ケース５３をフィルターエレメント５１の上部外側と上部内側と下部の三つの部屋に分割している。【００３１】  そして、圧縮空気を中心とする流体が、このフィルター５０Ａを通過することで圧縮空気から露化することで発生したドレン水は、圧縮空気と同様にフィルターエレメント５１の内側に異物ｘを残し、除菌手段５１ａである除菌フィルターエレメント本体５１ａで除菌された後に、フィルターエレメント５１の外側で水滴ｙとなって下部の室に貯留されることになるのである。【００３２】  所で、ケース５３下部に形成している水排出口５３ｘに於いては、排水管５８がケース５３と螺合によって結合し、排水管５８の途中には手動で流路を開閉する開閉弁５９が配設してあって、必要に応じて水滴ｙが集まることで貯留した水を排出出来るようになっている。  この場合、貯留されつつある水の高さに応じて、また一定の時間の間隔によって、貯留された水を排出することも考えられる。【００３３】  尚、第一実施例としては、これまでの説明で述べたように、除菌手段５１ａとして除菌材である再生セルロースやニトロセルロースを使用した除菌フィルターエレメント本体５１ａを示してきたが、別の内容として抗菌殺菌手段５１ａとして抗菌と殺菌の抗菌剤や殺菌剤としての二つの働きを持つ一価の銀イオンを形成した抗菌殺菌フィルターエレメント本体５１ａを配設することも考えられる。【００３４】  ここで、「抗菌殺菌手段５１ａとしての抗菌殺菌フィルターエレメント本体５１ａ」に見られるように「抗菌殺菌」という表現をしているが、この意味する所は、抗菌手段５１ａとしての抗菌フィルターエレメント本体５１ａと殺菌手段５１ａとしての殺菌フィルターエレメント本体５１ａの二つの働きを両方とも備えていることを示しているのである。この様な表現に関しては、以降に於いても「抗菌除菌手段」や「抗菌殺菌除菌手段」等の内容で多数表現しているが、同じ様な捉え方を意味していると考えて良い。【００３５】  さて、前述の銀イオンを形成するについての一つの方法としては、一価の銀イオンをアルミノ珪酸塩による立体の骨格構造を持つゼオライトに取り込んで後、粉末にすることで対応出来るのである。【００３６】  また、別の方法としては、一価の銀イオンを一価の銀イオンを含有するガラス微粉末、好ましくは粒径０．５ないし２００μｍの微粉末にして対応している。  尚、ガラス微粉末の成分としては、例えばＮａ２Ｏ、ＳｉＯ２、Ｂ２Ｏ３、Ａｌ２Ｏ３、ＣａＯ、ＭｇＯを用い、これに一価の銀イオン含有化合物であるＡｇＮＯ３を添加することで、作り出すことが可能である。  この場合、一価の銅イオンや二価の銅イオンや二価の亜鉛イオンを含有させてもそれなりの効果は見られる。【００３７】  この様にして、得られた粉末を、ある場合にはフィルターの基本となる材料であるオレフィン系ハイポリマー粉体と共に焼結成形して、抗菌と殺菌の働きをするカートリッジフィルターとしたり、別の場合にはフィルターの基本となる材料であるポリプロピレンや軟質ポリエチレンや硬質ポリエチレンと共に焼結成形して抗菌と殺菌の働きをする０．８ないし５ｍｍの厚さを持ったシートを作り出し、更にそのシートを何層かに形成してフィルターとすることも考えられる。  尚、焼結成形に関係なく何層かを形成したシートによる場合には、粉末を混合するのでは無くそのシートの表面に粉末を付着させて、抗菌殺菌フィルターエレメント本体５１ａとすることも考えられる。【００３８】  特に、ガラス微粉末の場合には、このガラスとして水溶解性のものを使用しているので、圧縮空気を中心とする流体がフィルター本体を通過する際に露化することで発生するドレン水がガラスを溶解し、その溶解に際して一価の銀イオンも流出させることでそれなりの効果をもたらしているのである。【００３９】  また、前述の除菌フィルターエレメント本体５１ａの表面に、前述の一価の銀イオンを含んだ粉末を付着させて抗菌殺菌除菌手段５１ａである抗菌殺菌除菌フィルターエレメント本体５１ａとすることも考えられる。【００４０】  更に、全く別の内容としては、抗菌剤としての抗生物質やサルファ剤の粉末や微粒子を用意し、その粉末や微粒子を従来からの異物を除去する目的で使用していたフィルターエレメント本体の出来る限りの表面に付着させて抗菌手段５１ａとしての抗菌フィルターエレメント本体５１ａとしたり、同様にその粉末や微粒子を前述の除菌フィルターエレメント本体５１ａの出来る限りの表面に付着させて抗菌除菌手段５１ａとしての抗菌除菌フィルターエレメント本体５１ａとすることも十分に考えられる。【００４１】  本発明による、細菌対応フィルターは前述したように構成されており、以下にその動作についてその内容を説明する。【００４２】  まず、圧縮空気を中心とする流体は、流体流路ｚに従い、即ちフィルター５０Ａを構成しているボディ５２の入口５２ｘや流路５２ｚから、フィルターエレメント５１に形成している上部鍔５１ｂの内側の中空部を経由して、フィルターエレメント５１の内側に送り込まれる。【００４３】  そして、フィルターエレメント５１の内側に送り込���れた、圧縮空気を中心とする流体は、一部の異物ｘをフィルターエレメント５１の内側に残留させながら、除菌手段５１ａである除菌フィルターエレメント本体５１ａを経由して、ビールスや細菌類を取り除いた状態でフィルターエレメント５１の外側とケース５３の間を通過し、ボディ５２の出口５２ｙを通ってきれいな圧縮空気を送り出すことが出来るようになっている。【００４４】  一方、圧縮空気が流れる過程で露化することで発生した水滴ｙは、フィルターエレメント５１の内側から除菌フィルターエレメント本体５１ａを経由してフィルターエレメント５１の外側に流れ、更にフィルターエレメント５１の外側からケース５３の下部に滴下するようになっている。【００４５】  尚、フィルターエレメント５１として、抗菌殺菌手段５１ａである抗菌殺菌フィルターエレメント本体５１ａを使用している場合には、圧縮空気を中心とする流体の通過に際して菌類などの生育を防止する抗菌の働きや殺菌の働きをするし、抗菌殺菌除菌手段５１ａである抗菌殺菌除菌フィルターエレメント本体５１ａを使用している場合には、圧縮空気を中心とする流体の通過に際して前述の抗菌と殺菌の働きに加えて除菌も含めた働きをすることになる。【００４６】  また、フィルターエレメント５１として、抗菌手段５１ａである抗菌フィルターエレメント本体５１ａを使用している場合には、圧縮空気を中心とする流体の通過に際して菌類などの生育を防止する抗菌の働きをするし、抗菌除菌手段５１ａである抗菌除菌フィルターエレメント本体５１ａを使用している場合には、圧縮空気を中心とする流体の通過に際して抗菌と除菌の働きをすることになる。【００４７】［第二実施例］
図２に於いて、５０Ｂはフィルターであり、機能の面で中心的な働きをしているフィルターエレメント６１および第二フィルターエレメント５６と、外側を成しているボディ５２およびケース５３と、パッキン５５と排水管５８と開閉弁５９から構成されている。【００４８】  ここで、第二実施例が第一実施例と異なる点を較べると、フィルターエレメント５１に代えてフィルターエレメント６１と第二フィルターエレメント５６を設けたことだけである。【００４９】  尚、フィルターエレメント６１に関しその構成を記載すると、フィルターエレメント本体６１ａとドーナツのような中空の形状をした上部鍔５１ｂと下部鍔５１ｃによって一体に形成されていて、更にＯリング５４を構成している。  また、第二フィルターエレメント５６に関しその構成を記載すると、抗菌殺菌手段５６ａでもある抗菌殺菌フィルターエレメント本体５６ａとドーナツのような中空の形状をした上部フランジ５６ｂと下部フランジ５６ｃによって一体に形成されている。  但し、具体的には図示していないが、ボディ５２と上部フランジ５６ｂの間から圧縮空気を中心とする流体が漏洩して、直接フィルターエレメント本体６１ａを通過することがないようにパッキンやＯリング等で配慮されていると考えて良い。【００５０】  この場合、先ずフィルターエレメント６１に関しては、異物を除去する目的で従来から使用していたものを配設しただけである。  一方、第二フィルターエレメント５６に関しては、既に第一実施例で説明している内容の、抗菌手段５１ａや除菌手段５１ａや抗菌殺菌手段５１ａや抗菌除菌手段５１ａや抗菌殺菌除菌手段５１ａである、抗菌フィルターエレメント本体５１ａや除菌フィルターエレメント本体５１ａや抗菌殺菌フィルターエレメント本体５１ａや抗菌除菌フィルターエレメント本体５１ａや抗菌殺菌除菌フィルターエレメント本体５１ａと全く同じ働きをするものを、適宜選択して配設することが出来るものと考えて良い。【００５１】  即ち、第一実施例で説明したものと同じ働きを意味している、抗菌手段５６ａや除菌手段５６ａや抗菌殺菌手段５６ａや抗菌除菌手段５６ａや抗菌殺菌除菌手段５６ａである、抗菌フィルターエレメント本体５６ａや除菌フィルターエレメント本体５６ａや抗菌殺菌フィルターエレメント本体５６ａや抗菌除菌フィルターエレメント本体５６ａや抗菌殺菌除菌フィルターエレメント本体５６ａを各々使用することが出来る。  尚、そこで使用している抗菌剤や殺菌剤や除菌材に関する具体的な内容は、第一実施例の所に記載しているのでここでは省略する。【００５２】  但し、圧縮空気を中心とする流体を通過させ異物を除去させるのに際しての基本となる孔径に関しては、下流に位置しているフィルターエレメント６１の方が上流に位置している第二フィルターエレメント５６より捕捉能力の優れている小さい孔径であることが望ましい。  従って、除菌の働きを持たせる場合には、具体的には図示してはいないが、下流に位置しているフィルターエレメント６１の方に除菌の働きを持たせることが望ましいと言える。【００５３】  以上の点を考えて、これまで述べた内容の他に、具体的には図示してはいないが、第二フィルターエレメント５６に関しては、異��を除去する目的で従来から使用していたフィルターエレメントを配設し、フィルターエレメント６１に関しては、抗菌や除菌や抗菌殺菌や抗菌除菌や抗菌殺菌除菌の働きをするフィルターエレメントを配設するということが考えられる。【００５４】  更には、第二フィルターエレメント５６とフィルターエレメント６１の両者共に、抗菌や除菌や抗菌殺菌や抗菌除菌や抗菌殺菌除菌の働きをする何れかのものを、必要に応じて各々適宜選択して配設するということも考えられる。  この様に、両者共に抗菌や除菌や抗菌殺菌や抗菌除菌や抗菌殺菌除菌の働きをする何れかのものを必要に応じて各々適宜選択して配設出来るということは、抗菌や殺菌や除菌の働きを何等かの形で複合して得ることによって、あらゆる細菌に個々に対応可能なフィルターとして使用することが出来るという意味から、非常に重要なことである。【００５５】  尚、フィルターエレメント６１と第二フィルターエレメント５６以外の、ボディ５２とケース５３とパッキン５５と配水管５８と開閉弁５９に関する構成に関しては、第一実施例と同じものであるので構成に関する詳細な説明は省略する。【００５６】  本発明による、細菌対応フィルターは前述したように構成されており、以下にその動作についてその内容を説明する。【００５７】  ここで、圧縮空気は、流体流路ｚに従い、即ちフィルター５０Ｂを構成しているボディ５２の入口５２ｘや流路５２ｚから上部鍔５１ｂの内側の中空部を経由してフィルターエレメント６１の内側に送り込まれる。【００５８】  そして、フィルターエレメント６１の内側に送り込まれた圧縮空気を中心とする流体は、フィルターエレメント６１の内側に位置している第二フィルターエレメント５６の更に内側に上部フランジ５６ｂの内側の中央部を通って送り込まれる。  そして、一部の異物ｘを第二フィルターエレメント５６の内側に残留させながら、抗菌殺菌手段５６ａである抗菌殺菌フィルターエレメント本体５６ａを経由し、ビールスや細菌類の増殖を阻止したり殺した状態で更に一部の異物ｘを第二フィルターエレメント５６の外側とフィルターエレメント６１の内側に残留させ、フィルターエレメント本体６１ａを経由し、次にフィルターエレメント５６の外側とケース５３の間を通過し、最終的にボディ５２の出口５２ｙを通ってきれいな圧縮空気を送り出すことが出来るようになっている。【００５９】  尚、前述の抗菌殺菌の働きをする第二フィルターエレメント５６以外にも、抗菌や除菌や抗菌除菌や抗菌殺菌除菌の働きをする第二フィルターエレメント５６や、従来の異物を除去する目的のフィルターを使用した第二フィルターエレメント５６と抗菌や除菌や抗菌殺菌や抗菌除菌や抗菌殺菌除菌の働きをするフィルターエレメント６１の構成も考えられるが、動作に関しては抗菌殺菌手段５６ａである抗菌殺菌フィルターエレメント本体５６ａと類似した内容になるので省略する。【００６０】  更に、第二フィルターエレメント５６とフィルターエレメント６１の両者共に、抗菌や除菌や抗菌殺菌や抗菌除菌や抗菌殺菌除菌の働きをする何れかのものを必要に応じて各々適宜選択して配設するという構成も考えられるが、動作に関しては同様に類似した内容になるので省略する。【０��６１】［第三実施例］
図３に於いて、５０Ｃはフィルターであり、機能の面で中心的な働きをしているフィルターエレメント７１と、外側を成しているボディ５２およびケース５３と、パッキン５５と排水管５８と開閉弁５９から構成されている。【００６２】  ここで、第三実施例が第一実施例と異なる点を較べると、フィルターエレメント５１に代えてフィルターエレメント７１を設けたことだけである。【００６３】  この場合、フィルターエレメント７１に関しては、従来から使用していた異物を除去する目的のフィルターエレメント本体７１ａと抗菌殺菌手段７１ｂである抗菌殺菌フィルターエレメント本体７１ｂとドーナツのような中空の形状をした上部鍔５１ｂと下部鍔５１ｃによって一体に形成されていて、Ｏリング５４を構成している。  そして、抗菌殺菌フィルターエレメント本体７１ｂは、フィルターエレメント本体７１ａの内側に形成している。【００６４】  尚、抗菌殺菌手段７１ｂである抗菌殺菌フィルターエレメント本体７１ｂに関しては、第一実施例で示した一価の銀イオンを含んだ粉末を抗菌殺菌フィルターエレメント本体７１ｂとして、従来から使用していた異物を除去する目的のフィルターエレメント本体７１ａに噴霧したり接着剤で貼り付けた際の粉末の部分そのものを考えている。【００６５】  また、同様に第一実施例で示した一価の銀イオンを含んだシートを、抗菌殺菌フィルターエレメント本体７１ｂとしてフィルターエレメント本体７１ａの内側に位置させたり貼り付けることを考えている。  更に、一価の銀イオンを含んだシートの代わりに、一価の銀イオンを含有するガラス微粉末を付着させたガラス繊維そのものを、抗菌殺菌フィルターエレメント本体７１ｂとしてフィルターエレメント本体７１ａの内側に位置させたり貼り付けるということも考えられる。【００６６】  その他にも、別の対応として、第一実施例で示した抗生物質やサルファ剤の粉末や微粒子を用意し、その粉末や微粒子を抗菌手段７１ｂである抗菌フィルターエレメント本体７１ｂとして、従来から使用していた異物を除去する目的のフィルターエレメント本体７１ａに噴霧したり接着剤で貼り付けた際の粉末の部分そのものを考えることも出来る。【００６７】  本発明による、細菌対応フィルターは前述したように構成されており、以下にその動作についてその内容を説明する。【００６８】  この場合、フィルターエレメント７１を第一実施例のフィルターエレメント５１に置き換えた場合、抗菌殺菌手段７１ｂや抗菌手段７１ｂに関しての具体的な働きは別としても、流体流路ｚや他の動作は概ね類似した内容になるので省略する。  尚、抗菌手段７１ｂや抗菌殺菌手段７１ｂの具体的な働きに関しても第一実施例に示した通りであるので省略する。【００６９】［第四実施例］
図４に於いて、５０Ｄはフィルターであり、機能の面で中心的な働きをしているフィルターエレメント６１および袋５７と、外側を形成しているボディ５２およびケース５３と、パッキン５５と排水管５８と開閉弁５９から構成されている。【００７０】  ここで、第四実施例が第一実施例と異なる点を較べると、フィルターエレメント５１に代えてフィルターエレメント６１を設け、袋５７を加えたことだけである。【００７１】  この場合、袋５７は、抗菌殺菌手段５７ａである抗菌殺菌粒子５７ａと袋本体５７ｂとバネ金具５７ｃより構成され、抗菌殺菌粒子５７ａは袋本体５７ｂに収納され、バネ金具５７ｃによってボディ５２に形成されている流路５２ｚの下流に位置するように内側に装着されている。【００７２】  そして、抗菌殺菌手段５７ａである抗菌殺菌粒子５７ａに関しては、第一実施例で示した一価の銀イオンを含んだ粉末に加工する直前の粒子を使用することが考えられる。  尚、袋本体５７ｂの材料に関しては、麻や綿や不織布によるものが考えられるが、通過する圧縮空気が少しでも確実に抗菌殺菌粒子５７ａと接触するように配慮するならば、バネ金具７５ｃ側の上部の半分位迄は圧縮空気を中心とする流体が外部に洩れないように、ビニールやポリエチレン等を使用することが望ましい。また、袋本体５７ｂの長さに関しては、フィルターエレメント本体６１ａに近い長さにしても構わない。【００７３】  尚、抗菌殺菌手段５７ａである抗菌殺菌粒子５７ａに代えて、第一実施例で示した抗菌剤としての抗生物質やサルファ剤を使用することで、抗菌手段５７ａである抗菌粒子５７ａとすることも考えられる。  また、抗生物質やサルファ剤は、通常は医療用に使用し、水に溶けやすい状態になっているので、接着剤で固化し、少しずつ溶解するように配慮するのも一つの方法である。【００７４】  ところで、フィルターエレメント６１に関しても、具体的に図示していないが、第二実施例で示した、抗菌や除菌や抗菌殺菌や抗菌除菌や抗菌殺菌除菌の働きをするものを、そのまま使用するということが考えられる。【００７５】  この事によって、やはり具体的に図示していないが、第二実施例で述べた内容と同じように、袋５７とフィルターエレメント６１の両者によって、袋５７による抗菌や抗菌殺菌とフィルターエレメント６１による抗菌や除菌や抗菌殺菌や抗菌除菌や抗菌殺菌除菌の働きをする何れかのものを、必要に応じて各々適宜選択して配設するということも考えられる。  この様に、両者共に抗菌や除菌や抗菌殺菌や抗菌除菌や抗菌殺菌除菌の働きをする何れかのものを必要に応じて各々適宜選択して配設するということは、抗菌や殺菌や除菌の働きを複合して得ることが容易となり、あらゆる細菌に個々に対応可能なフィルターとして使用することが出来るという意味から、非常に重要なことである。【００７６】  また、袋５７に関しては、更に具体的に図示してはいないが、第一実施例と第二実施例と第三実施例に付加して適用することも可能である。【００７７】  この事に関しても、繰り返しになるが第二実施例で述べた様に、袋５７と、フィルターエレメント５１またはフィルターエレメント６１と第二フィルターエレメント５６またはフィルターエレメント７１の各��によって、袋５７による抗菌や抗菌殺菌とフィルターエレメント５１またはフィルターエレメント６１と第二フィルターエレメント５６またはフィルターエレメント７１による抗菌や除菌や抗菌殺菌や抗菌除菌や抗菌殺菌除菌の働きをする何れかのものを必要に応じて適宜選択して配設するということも考えられる。【００７８】  この様に、両者共に抗菌や除菌や抗菌殺菌や抗菌除菌や抗菌殺菌除菌の働きをする何れかのものを必要に応じて各々適宜選択して配設するということは、抗菌や殺菌や除菌の働きを複合して得ることが容易となり、あらゆる細菌に個々に対応可能なフィルターとして使用することが出来るという意味から、非常に重要なことである。【００７９】  本発明による、細菌対応フィルターは前述したように構成されており、以下にその動作についてその内容を説明する。【００８０】  この場合、動作としては第一実施例や第二実施例と概ね同じであるが、袋５７を通過する際に抗菌殺菌手段５７ａである抗菌殺菌粒子５７ａに触れて抗菌や殺菌の働きをすることである。【００８１】  即ち、圧縮空気を中心とする流体は、流体流路ｚに従い、即ちフィルター５０Ｄを構成しているボディ５２の入口５２ｘや流路５２ｚから上部鍔５１ｂの内側の中空部を経由してフィルターエレメント６１の内側に送り込まれる。【００８２】  そして、フィルターエレメント６１の内側に送り込まれた圧縮空気を中心とする流体は、フィルターエレメント６１の内側に位置している袋５７の内側に送り込まれる。  この場合、圧縮空気を中心とする流体は、一価の銀イオンを含んだ粒子である抗菌殺菌粒子５７ａや抗生物質やサルファ剤による抗菌粒子５７ａによって、抗菌殺菌や抗菌の働きを受けることになる。【００８３】  特に、圧縮空気が露化することで発生したドレン水が、一価の銀イオンを含有するガラス粒子に付着すると、水分によってガラスと同時に一価の銀イオンも溶出させ、抗菌殺菌の効果を高めるのである。
【産業上の利用可能性】
【００８４】  この発明の、細菌対応フィルターによって、抗菌と殺菌と除菌の働きを複合して備えるフィルターが可能となり、無菌を絶対条件とする病院等の医療施設や食品業界に、非常に有効な期待されるものを提供することになる。
【図面の簡単な説明】
【００８５】
【図１】  本願発明の細菌対応フィルターを示した第一の図
【図２】  本願発明の細菌対応フィルターを示した第二の図
【図３】  本願発明の細菌対応フィルターを示した第三の図
【図４】  本願発明の細菌対応フィルターを示した第四の図
【符号の説明】
【００８６】  ５０Ａ・・・・・フィルター
５０Ｂ・・・・・フィルター
５０Ｃ・・・・・フィルター
５０Ｄ・・・・・フィルター
５１・・・・・・フィルターエレメント
５１ａ・・・・・抗菌フィルターエレメント本体、除菌フィルターエレメント本体、抗菌殺菌フィルターエレメント本体、抗菌除菌フィルターエレメント本体、抗菌殺菌除菌フィルターエレメント本体（抗菌手段、除菌手段、抗菌殺菌手段、抗菌除菌手段、抗菌殺菌除菌手段）
５１ｂ・・・・・上部鍔
５１ｃ・・・・・下部鍔
５２・・・・・・ボディ
５２ｉ・・・・・段部
５２ｊ・・・・・上部鍔接触面
５２ｋ・・・・・雌ネジ
５２ｘ・・・・・入口
５２ｙ・・・・・出口
５２ｚ・・・・・流路
５３・・・・・・ケース
５３ｘ・・・・・水排出口
５３ｙ・・・・・雄ネジ
５３ｚ・・・・・座
５４・・・・・・Ｏリング
５５・・・・・・パッキン
５６・・・・・・第二フィルターエレメント
５６ａ・・・・・抗菌フィルターエレメント本体、除菌フィルターエレメント本体、抗菌殺菌フィルターエレメント本体、抗菌除菌フィルターエレメント本体、抗菌殺菌除菌フィルターエレメント本体（抗菌手段、除菌手段、抗菌殺菌手段、抗菌除菌手段、抗菌殺菌除菌手段）
５６ｂ・・・・・上部フランジ
５６ｃ・・・・・下部フランジ
５７・・・・・・袋
５７ａ・・・・・抗菌粒子、抗菌殺菌粒子（抗菌手段、抗菌殺菌手段）
５７ｂ・・・・・袋本体
５７ｃ・・・・・バネ金具
５８・・・・・・排水管
５９・・・・・・開閉弁
６１・・・・・・フィルターエレメント
６１ａ・・・・・フィルターエレメント本体
７１・・・・・・フィルターエレメント
７１ａ・・・・・フィルターエレメント本体
７１ｂ・・・・・抗菌フィルターエレメント本体、抗菌殺菌フィルターエレメント本体（抗菌手段、抗菌殺菌手段）
ｘ・・・・・・・異物
ｙ・・・・・・・水滴
ｚ・・・・・・・流体流路
【図１】
2007237154.tif 000003
【図２】
2007237154.tif 000004
【図３】
2007237154.tif 000005
【図４】
2007237154.tif 000006